(57)【要約】【課題】  浴室や洗髪洗面台で洗髪を行う際に使用し、かつ、石けん置きとしての機能を併せ持つシャンプー用ブラシに関するものであり、使いやすい形態を持つシャンプー用ブラシを提供すること。【解決手段】  シャンプー用ブラシ１０を、長円形状に形成された第１の基台２０と第２の基台３０を互いに背向するように設けている。第１の基台２０は、第１の背甲部２３の中央に連結部材４０が挿入され、第１の固定部材４１によって連結部材４０の一方の端部が固定されている。第２の基台３０は第２の背甲部２３の中央に連結部材４０が挿入され、第２の固定部材４２によって連結部材４０の他方の端部が固定されている。また、第１のブラシ部２１及び第２のブラシ部３１は、中央寄りの突起を短く形成することによって石けんが滑り落ちることを防止できるようにしている。【選択図】  図３
2019134772.tif 000002
【特許請求の範囲】
【請求項１】
第１の基台及び第２の基台と、第１の基台と第２の基台とを所定距離離隔した状態で接続する連結部材を有しているシャンプー用ブラシであって、
前記第１の基台は、第１の基板部と、該第１の基板部から突出した複数の突起を備えた第１のブラシ部と、前記第１の基板部を支持すると共に前記連結部材に接続された第１の背甲部を備え、
前記第２の基台は、第２の基板部と、該第２の基板部から第１のブラシ部に対して背向するように突出した複数の突起を備えると共に前記第１のブラシ部よりも柔らかい材質で形成された第２のブラシ部と、前記第２の基板部を支持すると共に前記連結部材に接続された第２の背甲部を備え、かつ、前記第２の基板部が前記第１の基板部に平行又はほぼ平行になるように設けられ、
前記連結部材は、略矩形板状、略棒状又は略筒状に形成されると共に、前記第１の基台と前記第２の基台とのいずれか一方を平坦面上に置いたときに他方を上向きの状態で支持することを特徴とするシャンプー用ブラシ。
【請求項２】
前記第１のブラシ部及び前記第２のブラシ部の中心及びその近傍に位置する前記突起が周辺に位置する前記突起よりも突出している長さが短いことを特徴とする請求項１に記載のシャンプー用ブラシ。
【請求項３】
前記連結部材は、略筒状に形成されると共に、長手方向において前記第１の背甲部に接続された第１の分割部と前記第２の背甲部に接続された第２の分割部とに分割され、かつ、該第１の分割部と該第２の分割部とが互いに回転可能に設けられていることを特徴とする請求項１又は請求項２に記載のシャンプー用ブラシ。
【発明の詳細な説明】
【技術分野】
【０００１】
本発明は、浴室や洗髪洗面台で洗髪を行う際に使用するシャンプー用ブラシに関するものである。
【背景技術】
【０００２】
浴室や洗髪洗面台で洗髪を行う際に使用するシャンプー用ブラシにおいては、頭髪用ブラシとしての機能に留まらず、一時的に石けんを手元に置くための石けん置きとしての機能も有しているものがある。
【０００３】
図１０は、従来技術に係るシャンプー用ブラシを示す断面図である。図１０において、９０は頭髪用ブラシ兼用石けん受け、９１は水切り部、９２は刷子子、９３は指先部、９４は石けんである。
【０００４】
図１０は、実開昭６０−１４６４９３号公報において開示されているシャンプー用ブラシ（頭髪用ブラシ兼用石けん受け）である。頭髪用ブラシ兼用石けん受け９０は、図１０に示すように、基体部となる水切り部９１を下側が開口し、ほぼ円板状に形成している。さらに、水が溜まらないように、水切り部９１の中央を中心として緩やかな下り勾配を持つように形成している。水切り部９１の上面には、刷子子９２が上方に延びるように形成されている。刷子子９２の上には石けん９４を置くことができるので、刷子子９２ブラシと石けん受けとの２つの機能を併せ持っていると言える。水切り部９１の下面には、指を掛けるための指先部９３を設けている。
【０００５】
以上説明した頭髪用ブラシ兼用石けん受け９０の構成によれば、石けん受けとしての役割と、シャンプー時には頭髪用ブラシとして役割を両立できるという利便性がある。しかし、人差し指と中指の間に棒状の支持部を挟んで使用する一般的なシャンプー用ブラシの使用方法になれた者にとっては、使いやすい形態であるとは言えない。また、入浴中に頭皮マッサージ用ブラシを使用する者もいるが、入浴中に洗髪用ブラシや頭皮マッサージ用ブラシ、石けん置きなど周囲に置くことは煩わしい上に、子供や高齢者などが踏みつけて転倒する可能性もある。
【先行技術文献】
【特許文献】
【０００６】
【特許文献１】実開昭６０−１４６４９３号公報
【発明の概要】
【発明が解決しようとする課題】
【０００７】
本発明は、上記課題を解決するために、浴室や洗髪洗面台で洗髪を行う際に使用し、かつ、洗髪用ブラシ以外の機能を併せ持ち、かつ、使いやすい形態を持つシャンプー用ブラシを提供することを目的とする。
【課題を解決するための手段】
【０００８】
請求項１に記載の発明は、第１の基台及び第２の基台と、第１の基台と第２の基台とを所定距離離隔した状態で接続する連結部材を有しているシャンプー用ブラシであって、前記第１の基台は、第１の基板部と、該第１の基板部から突出した複数の突起を備えた第１のブラシ部と、前記基板部を支持すると共に前記連結部材に接続された第１の背甲部を備え、
前記第２の基台は、第２の基板部と、該第２の基板部から第１のブラシ部に対して背向するように突出した複数の突起を備えると共に前記第１のブラシ部よりも柔らかい材質で形成された第２のブラシ部と、前記基板部を支持すると共に前記連結部材に接続された第２の背甲部を備え、かつ、前記第２の基板部が前記第１の基板部に平行又はほぼ平行になるように設けられ、前記連結部材は、略矩形板状、略棒状又は略筒状に形成されると共に、前記第１の基台と前記第２の基台とのいずれか一方を平坦面上に置いたときに他方を上向きの状態で支持することを特徴とするシャンプー用ブラシである。
【０００９】
請求項２に記載の発明は、請求項１に記載の発明において、前記第１のブラシ部及び前記第２のブラシ部の中心及びその近傍に位置する前記突起が周辺に位置する前記突起よりも突出している長さが短いことを特徴とするシャンプー用ブラシである。
【００１０】
請求項３に記載の発明は、請求項１又は請求項２に記載の発明において、前記連結部材は、略筒状に形成されると共に、長手方向において前記第１の背甲部に接続された第１の分割部と前記第２の背甲部に接続された第２の分割部とに分割され、かつ、該第１の分割部と該第２の分割部とが互いに回転可能に設けられていることを特徴とするシャンプー用ブラシである。
【発明の効果】
【００１１】
請求項１に記載の発明によれば、第１のブラシ部と第２のブラシ部との両方を石けん置きとして利用可能であると共に、棒状の連結部材を人差し指と中指の間に挟んで使用できるので、一般的なシャンプー用ブラシと同様に使いやすさを確保しつつ、石けん置きとして利用することができる。また、性状の異なる２つのブラシを有しているので、１つのシャンプー用ブラシに対して、例えば頭髪の汚れ落としと頭皮の刺激との２つの役割を持たせることが可能となる。
【００１２】
請求項２に記載の発明によれば、第１のブラシ部及び第２のブラシ部の中心及びその近傍が僅かに凹んだ状態になるので、比較的傾斜の大きい浴室の床面にシャンプー用ブラシを置いたときにも、ブラシ部から石けんが滑り落ちることを防止できる。
【００１３】
請求項３に記載の発明によれば、第１の基台と第２の基台とが水平方向において互いになす角度を使いやすい角度に適宜調整することが可能となる。
【図面の簡単な説明】
【００１４】
【図１】本発明の第１の実施の形態に係るシャンプー用ブラシを示し、（ａ）は側面図、（ｂ）は正面図である。
【図２】本発明の第１の実施の形態に係るシャンプー用ブラシを示し、（ｃ）は平面図、（ｄ）は底面図である。
【図３】本発明の第１の実施の形態に係るシャンプー用ブラシを示し、（ａ）はＡ−Ａ線断面図、（ｂ）はＢ−Ｂ線断面図である。
【図４】本発明の第１の実施の形態に係るシャンプー用ブラシの変形例を示し、（ａ）は側面図、（ｂ）は正面図である。
【図５】本発明の第１の実施の形態に係るシャンプー用ブラシの使用状態断面図である。
【図６】本発明の第２の実施の形態に係るシャンプー用ブラシを示し、（ａ）は側面図、（ｂ）は正面図である。
【図７】本発明の第２の実施の形態に係るシャンプー用ブラシを示し、（ｃ）は平面図、（ｄ）は底面図である。
【図８】本発明の第２の実施の形態に係るシャンプー用ブラシを示し、（ａ）はＣ−Ｃ線断面図、（ｂ）はＤ−Ｄ線断面図である。
【図９】本発明の第２の実施の形態に係るシャンプー用ブラシの使用状態図である。
【図１０】従来技術に係るシャンプー用ブラシを示す断面図である。
【発明を実施するための形態】
【００１５】
最初に、本発明の第１の実施の形態に係るシャンプー用ブラシについて説明する。図１は、本発明の第１の実施の形態に係るシャンプー用ブラシを示し、（ａ）は側面図、（ｂ）は正面図である。図１において、１０はシャンプー用ブラシ、２０は第１の基台、２１は第１のブラシ部、２２ａは第１の突起、３０は第２の基台、３１は第２のブラシ部、３２ａは第５の突起、４０は連結部材である。また、図２は、本発明の第１の実施の形態に係るシャンプー用ブラシを示し、（ｃ）は平面図、（ｄ）は底面図である。図２において、２２ｂは第２の突起、２２ｃは第３の突起、２２ｄは第４の突起、２４は第２の基板部、３２ｂは第６の突起、３２ｃは第７の突起、３４は第２の基板部であり、その他の符号は図１と同じものを示す。なお、図２に記載されている一点鎖線は、同一種の突起の形成範囲を示すために記載した境界線である。さらに、図３は、本発明の第１の実施の形態に係るシャンプー用ブラシを示し、（ａ）はＡ−Ａ線断面図、（ｂ）はＢ−Ｂ線断面図である。図３において、２３は第１の背甲部、３３は第２の背甲部、４１は第１の固定部材、４２は第２の固定部材であり、その他の符号は図１と同じものを示す。さらに、図４は、本発明の第１の実施の形態に係るシャンプー用ブラシの斜視図である。図４において、２５は第１の基台、３５第２の基台、４３は連結部材であり、その他の符号は図１と同じものを示す。くわえて、図５は、本発明の第１の実施の形態に係るシャンプー用ブラシの使用状態断面図である。図５において、１５及び１６は石けんであり、その他の符号は図３と同じものを示す。
【００１６】
本発明の第１の実施の形態に係るシャンプー用ブラシ１０は、図２に示すように、平面的に見たときに、ほぼ長円形状に形成された第１の基台２０の第１の背甲部２３と第２の基台３０の第２の背甲部３３とが互いに背向するように設けられている。第１の基台２０は、ポリエチレン、ポリプロピレンなどの樹脂によって形成されており、図１及び図３に示すように、第１の背甲部２３の中央に連結部材４０が挿入されている。さらに、第１の固定部材４１によって連結部材４０の一方の端部が固定された状態になっている。くわえて、第１の背甲部２３と第２の背甲部３３とは、第１の基板部２４と第２の基板部３４とをそれぞれ支持している。なお、第１の基台２０は、図１〜図３に示した形状に限られるものではなく、例えば、平面的に見たときに楕円形状、矩形状など他の形状に形成されていてもよい。つまり、後述するように、第１のブラシ部２１の上に石けんを置くのに支障ない形状であれば、どのような形状であってもよい。また、第１の基台２０の開口部を塞ぐように第１の基板部２４が設けており、さらに第１の基板部２４には、洗髪用ブラシである第１のブラシ部２１が設けられている。第１のブラシ部２１は、ポリアミド、ポリブチレンテレフタレートなどの樹脂からなり、第２の基台３０に対して背向する方向に突出している第１の突起２２ａなどの突起（毛材）が多数形成されている。
【００１７】
第２の基台３０は、ポリエチレン、ポリプロピレンなどの樹脂によって形成されており、図１及び図３に示すように、第２の背甲部３３の中央に連結部材４０が挿入されている。さらに、第２の固定部材４２によって連結部材４０の他方の端部が固定された状態になっている。なお、第２の基台３０は、図１〜図３に示した形状に限られるものではなく、例えば、平面的に見たときに楕円形状、矩形状など他の形状に形成されていてもよく、第１の基台２０と異なる形状であってもよい。また、第２の基台３０の開口部を塞ぐように第２の基板部３４が設けており、さらに第２の基板部３４には、頭皮マッサージ用ブラシである第２のブラシ部３１が設けられている。第２のブラシ部３１は、天然ゴム、ジエン系ゴムなどの第１のブラシ部２１よりも柔らかい樹脂からなり、第１の基台２０に対して背向する方向に突出した第５の突起３２ａなどの突起（毛材）が多数形成されている。なお、第２のブラシ部３１は、頭皮マッサージ用ブラシでなく、例えば、第１のブラシ部２１よりも柔らかい突起（毛材）で形成された洗髪用ブラシなどであってもよい。また、第１の基台２０、第２の基台３０及び連結部材４０を別体からなるものとせず、一体的に成形してもよい。
【００１８】
また、第１の突起２２ａはすべて同じ長さ（高さ）であり、第５の突起３２ａもすべて同じ長さ（高さ）であるので、第１のブラシ部２１及び第２のブラシ部３１の先端部は、側面側から見ると平坦な面を構成しているように見える。連結部材４０は、ポリエチレン、ポリプロピレンなどの樹脂によって形成されており、第１の基板部２４と第２の基板部３４に対してその中心軸が直交するように設けられている。したがって、第１の突起２２ａの先端部を含む仮想的な面と第５の突起３２ａの先端部を含む仮想的な面は、互いに平行であり、かつ、連結部材４０の中心軸に対して直交することになる。したがって、第１のブラシ部２１と第２のブラシ部３１とのいずれかを浴室の床面に置くと、反対側のブラシ部の最も外側に位置する突起の先端部を含む仮想的な面はこの床面に対してほぼ平行な面となる。したがって、例えば、第１のブラシ部２１が浴室などの床面に接するようにシャンプー用ブラシ１０を置くと、第２のブラシ部３１は、図５（ａ）に示すように、上方を向いた状態になるので、第２のブラシ部３１上に石けん１５を置くことが容易にできる。
【００１９】
また、第１のブラシ部２１及び第２のブラシ部３１は、中央寄りの突起を短く（低く）形成することによって石けんが滑り落ちることを防止できるようにしている。すなわち、第１のブラシ部２１は、図２及び図３に示すように、最も外側に位置する第１の突起２２ａが最も長く（高く）形成され、その内側に位置する第２の突起２２ｂ、さらに第２の突起２２ｂの内側に位置する第３の突起２２ｃの順に短く（低く）なるように形成されている。そして、最も中央寄りにある第４の突起２２ｄが最も短く（低く）なっている。同様に、第２のブラシ部３１では、最も外側に位置する第５の突起３２ａに対し、その内側に位置する第６の突起３２ｂ、さらに第６の突起３２ｂの内側に位置する第７の突起３２ｃが順次短く（低く）なるように形成されている。このような構成によって、第１のブラシ部２１及び第２のブラシ部３１は中央付近が浅く凹んだ状態となる。したがって、図５（ｂ）に示すように、例えば、石けん１６を第１のブラシ部２１の中心からややはずれた位置に置いても、石けん１６が第１のブラシ部２１上から滑り落ちることを防止できる。特に、ユニットバスの床面は、石けんが滑って移動する程度尾の傾斜が設けられている場所もあるので、このような場所にシャンプー用ブラシ１０を置き、さらに石けんを第１のブラシ部２１又は第２のブラシ部３１上に置くと、石けんをその場所に保持することが容易に可能となる。
【００２０】
連結部材４０は、略矩形板状に形成されており、側端部が上側及び下側に向かって末広がりとなるような輪郭を呈している。連結部材４０をこのような形状に形成することによって、シャンプー用ブラシ１０を使用する際に、連結部材４０を使用者の人差し指と中指の間に挟んで使用することを容易にできるようにしている、また、第１の基台２０と第２の基台３０とのいずれか一方を平坦面上に置いたときに第１の基台２０と第２の基台３０との他方を上向きの状態で倒れないように支持する。なお、連結部材４０は、略矩形板状に限られるものではない。例えば、図４のシャンプー用ブラシ１１に示すように、第１の基台２５と、第２の基台３５を連結している連結部材４３に示すように、丸棒状に形成してもよく、さらに角棒状や楕円棒状などに形成してもよい。
【００２１】
続けて、本発明の第２の実施の形態に係るシャンプー用ブラシについて説明する。図６は、本発明の第２の実施の形態に係るシャンプー用ブラシを示し、（ａ）は側面図、（ｂ）は正面図である。図６において、１２はシャンプー用ブラシ、４４は連結部材、４５は第１の分割部、４６は第２の分割部であり、その他の符号は図１と同じものを示す。さらに、    図７は、本発明の第２の実施の形態に係るシャンプー用ブラシを示し、（ｃ）は平面図、（ｄ）は底面図である。図７において用いた符号は、図１及び図６と同じものを示す。くわえて、図８は、本発明の第２の実施の形態に係るシャンプー用ブラシを示し、（ａ）はＣ−Ｃ線断面図、（ｂ）はＤ−Ｄ線断面図である。図８において、２６は第１の背甲部、３６は第２の背甲部、４７は第１の固定部材、４８は第２の固定部材、４９はネジ、５０はナットであり、その他の符号は図１及びと同じものを示す。また、図９は、本発明の第２の実施の形態に係るシャンプー用ブラシの使用状態図である。図９において、１７は手、１８は指、１９は甲であり、その他の符号は図１及びと同じものを示す。
【００２２】
シャンプー用ブラシ１２において、連結部材４４を図６及び図８に示すように、略円筒状に形成すると共に、長手方向において分割された第１の分割部４５と第２の分割部４６とからなるものとしている。また、第１の分割部４５と第２の分割部４６とは、ネジ４９及びナット５０によって互いに軽く接した状態で、かつ、第１の固定部材４７と第２の固定部材４８とに保持されており、互いに回転可能になされている。さらに、また、第１の分割部４５と第２の分割部４６との対向部を凹凸形状とし、互いに軽く噛み合った状態にしている。つまり、第１の基台２５と第２の基台３５とは、水平な面に置いたときに、互いに水平方向において回転可能になされている。なお、シャンプー用ブラシ１２の連結部材４４以外の構成は、シャンプー用ブラシ１０の各部の構成と同じであり、材質についてもシャンプー用ブラシ１０と同様である。
【００２３】
連結部材４４を第１の分割部４５と第２の分割部４６とからなるものとしたことによって、例えば、図７に示すように、第１の基台２５と第２の基台３５との長手方向を直交させることなど、第１の基台２５と第２の基台３５とが水平方向において互いになす角度を使いやすい任意の角度に調整することができる。すなわち、シャンプー用ブラシは、浴室の床面や洗髪洗面台の洗面ボウルの周辺部など、傾斜している面の上において使用することが一般的であるので、連結部材４４をできる限り短くしてシャンプー用ブラシ１２全体の高さを抑え、倒れにくくすることが望ましいと言える。シャンプー用ブラシ１２全体の高さを抑えると、第１の基台２５と第２の基台３５との間隙が狭くなり、手が大きい使用者にとって使いにくいものとなる。第１の基台２５と第２の基台３５との長手方向を直交させると、例えば図９に示すように、手が大きい使用者が第１の基台２０の第１の背甲部２６を掌で覆いつつ指１８で掴んで保持したときに、手１７の甲１９、特に中手骨骨頭の盛り上がった部位に第２の基台３５の第２の背甲部３６が当たらないので、シャンプー用ブラシ１２が使いやすくなると言う利点がある。また、第１の分割部４５と第２の分割部４６との対向部を凹凸形状にすることによって、第１の分割部４５と第２の分割部４６との間隙から進入した頭髪がネジ４９に絡みつくことを防止できるようにしている。
【００２４】
なお、本発明は、以上に説明した各実施の形態の形状や材質に限定されるものではなく、例えば第１のブラシ部と第２のブラシ部とのいずれか一方又は両方を異なる種類のブラシに付け替え可能にするなど、各請求項に記載した範囲を逸脱しない限りにおいて種々の変形を加えることが可能である。
【符号の説明】
【００２５】
１０    シャンプー用ブラシ
１１    シャンプー用ブラシ
１２    シャンプー用ブラシ
１５    石けん
１６    石けん
１７    手
１８    指
１９    甲
２０    第１の基台
２１    第１のブラシ部
２２ａ  第１の突起
２２ｂ  第２の突起
２２ｃ  第３の突起
２２ｄ  第４の突起
２３    第１の背甲部
２４    第２の基板部
２５    第１の基台
２６    第１の背甲部
３０    第２の基台
３１    第２のブラシ部
３２ａ  第５の突起
３２ｂ  第６の突起
３２ｃ  第７の突起
３３    第２の背甲部
３４    第２の基板部
３５    第２の基台
３６    第２の背甲部
４０    連結部材
４１    第１の固定部材
４２    第２の固定部材
４３    連結部材
４４    連結部材
４５    第１の分割部
４６    第２の分割部
４７    第１の固定部材
４８    第２の固定部材
４９    ネジ
５０    ナット
９０    頭髪用ブラシ兼用石けん受
９１    水切り部
９２    ブラシ子
９３    指先部
９４    石けん
【図１】
2019134772.tif 000003
【図２】
2019134772.tif 000004
【図３】
2019134772.tif 000005
【図４】
2019134772.tif 000006
【図５】
2019134772.tif 000007
【図６】
2019134772.tif 000008
【図７】
2019134772.tif 000009
【図８】
2019134772.tif 000010
【図９】
2019134772.tif 000011
【図１０】
2019134772.tif 000012